(57)【要約】      （修正有）【課題】重量の軽減とコストの低減化を図ることができる冷凍サイクル用ディストリビュータを提供するものである。【解決手段】冷凍サイクル用ディストリビュータＤは、底部が内方に向かって凸形状に形成された凸部１Ａを有する本体１と、この本体１の底部の周縁が前記底部と一体となって立ち上がった立ち上がり部１Ｂと、凸部１Ａの裏面に外方に向かって凹形状に形成された凹部１Ｃと、前記底部であって、凹部１Ｃの外側に形成された平坦部１Ｄと、この平坦部１Ｄに形成された複数の穴に固着された複数のパイプ２と、中心に位置する穴部３Ａを有し、本体１の底部に対向する部位を閉塞する閉塞部材３とを備え、前記凸部１Ａの頂部１Ａ１と前記穴部は、対向し、先端が凸部１Ａと離間して穴部３Ａに分岐元パイプ４が固着されているものである。【選択図】図１
2012013323.tif 000002
【特許請求の範囲】
【請求項１】
底部が内方に向かって凸形状に形成された凸部を有する本体と、
この本体の底部の周縁が前記底部と一体となって立ち上がった立ち上がり部と、
前記凸部の裏面に外方に向かって凹形状に形成された凹部と、
前記底部であって、前記凹部の外側に形成された平坦部と、
この平坦部に形成された複数の穴に固着された複数のパイプと、
中心に位置する穴部を有し、前記本体の底部に対向する部位を閉塞する閉塞部材とを備え、
前記凸部の頂部と前記穴部は、対向し、
先端が前記凸部と離間して前記穴部に分岐元パイプが固着されている
ことを特徴とする冷凍サイクル用ディストリビュータ。
【請求項２】
底部が内方に向かって凸形状に形成された凸部を有する本体と、
この本体の底部の周縁が前記底部と一体となって立ち上がった立ち上がり部と、
前記凸部の裏面に外方に向かって凹形状に形成された凹部と、
前記底部であって、前記凹部の外側に形成された平坦部と、
この平坦部に形成された複数の穴に固着された複数のパイプと、
前記立ち上がり部の先端に向かう中途に形成された縮径部を介して前記立ち上がり部の先端が互いに離間して形成された穴部とを備え、
前記凸部の頂部と前記穴部は、対向し、
先端が前記凸部と離間して前記穴部に分岐元パイプが固着されている
ことを特徴とする冷凍サイクル用ディストリビュータ。
【請求項３】
本体内に位置する複数のパイプの先端が、それぞれ平坦部より突出して、本体に固着されている
ことを特徴とする請求項１又は請求項２記載の冷凍サイクル用ディストリビュータ。
【請求項４】
底部が内方に向かって凸形状に形成された凸部を有する本体と、
この本体の底部の周縁が前記底部と一体となって立ち上がった立ち上がり部と、
前記凸部の裏面に外方に向かって凹形状に形成された凹部と、
前記底部であって、前記凹部の外側に形成された平坦部と、
この平坦部に形成された複数の穴に挿入される複数のパイプと、
前記凸部の頂部に対向する穴部を有し、前記本体の底部に対向する部位を閉塞する閉塞部材と、
先端が前記凸部と離間して前記穴部に挿入される分岐元パイプとを備え、
前記複数のパイプを前記複数の穴に、前記分岐元パイプを前記穴部に、それぞれ固着する
ことを特徴とする冷凍サイクル用ディストリビュータの製造方法。
【請求項５】
底部が内方に向かって凸形状に形成された凸部を有する本体と、
この本体の底部の周縁が前記底部と一体となって立ち上がった立ち上がり部と、
前記凸部の裏面に外方に向かって凹形状に形成された凹部と、
前記底部であって、前記凹部の外側に形成された平坦部と、
この平坦部に形成された複数の穴に固着された複数のパイプと、
前記立ち上がり部の先端に向かう中途に形成された縮径部を介して前記立ち上がり部の先端が互いに離間して形成されると共に、前記凸部の頂部に対向する穴部と、
先端が前記凸部と離間して前記穴部に挿入される分岐元パイプとを備え、
前記複数のパイプを前記複数の穴に、前記分岐元パイプを前記穴部に、それぞれ固着する
ことを特徴とする冷凍サイクル用ディストリビュータの製造方法。
【発明の詳細な説明】
【技術分野】
【０００１】
本発明は、冷凍サイクル用ディストリビュータ及び冷凍サイクル用ディストリビュータの製造方法に係り、特に、重量の軽減とコストの低減化を図ることができる冷凍サイクル用ディストリビュータ及び冷凍サイクル用ディストリビュータの製造方法に関する。
【背景技術】
【０００２】
従来、集合流路孔からの冷媒は、分配流路孔集合中央部から複数の分配流路孔に流れるようにして冷媒を分配するディストリビュータがある（例えば、特許文献１の図１、図２及び図４参照）。
【先行技術文献】
【特許文献】
【０００３】
【特許文献１】特開平６−３２３６９３号公報
【発明の概要】
【発明が解決しようとする課題】
【０００４】
しかしながら、上述したディストリビュータにあっては、これら集合流路孔、分配流路孔集合中央部、複数の分配流路孔は、ディストリビュータ本体を切削して形成され、しかも、分配流路孔の数をより複数個設けようとすればする程、ディストリビュータ本体が細長くなると共に、これら集合流路孔、分配流路孔集合中央部、複数の分配流路孔以外はディストリビュータ本体が充実し、しかも、ディストリビュータ本体は外側に向かって凸形状となっているため、ディストリビュータ本体の重量が増すと共に、コストもかかるという問題点が生じた。
【０００５】
本発明は、重量の軽減とコストの低減化を図ることができる冷凍サイクル用ディストリビュータ及び冷凍サイクル用ディストリビュータの製造方法を提供することを目的とする。
【課題を解決するための手段】
【０００６】
請求項１記載の冷凍サイクル用ディストリビュータは、底部が内方に向かって凸形状に形成された凸部を有する本体と、この本体の底部の周縁が前記底部と一体となって立ち上がった立ち上がり部と、前記凸部の裏面に外方に向かって凹形状に形成された凹部と、前記底部であって、前記凹部の外側に形成された平坦部と、この平坦部に形成された複数の穴に固着された複数のパイプと、中心に位置する穴部を有し、前記本体の底部に対向する部位を閉塞する閉塞部材とを備え、前記凸部の頂部と前記穴部は、対向し、先端が前記凸部と離間して前記穴部に分岐元パイプが固着されているものである。
【０００７】
また、請求項２記載の冷凍サイクル用ディストリビュータは、底部が内方に向かって凸形状に形成された凸部を有する本体と、この本体の底部の周縁が前記底部と一体となって立ち上がった立ち上がり部と、前記凸部の裏面に外方に向かって凹形状に形成された凹部と、前記底部であって、前記凹部の外側に形成された平坦部と、この平坦部に形成された複数の穴に固着された複数のパイプと、前記立ち上がり部の先端に向かう中途に形成された縮径部を介して前記立ち上がり部の先端が互いに離間して形成された穴部とを備え、前記凸部の頂部と前記穴部は、対向し、先端が前記凸部と離間して前記穴部に分岐元パイプが固着されているものである。
【０００８】
また、請求項３記載の冷凍サイクル用ディストリビュータは、請求項１又は請求項２記載の冷凍サイクル用ディストリビュータにおいて、本体内に位置する複数のパイプの先端が、それぞれ平坦部より突出して、本体に固着されているものである。
【０００９】
また、請求項４記載の冷凍サイクル用ディストリビュータの製造方法は、底部が内方に向かって凸形状に形成された凸部を有する本体と、この本体の底部の周縁が前記底部と一体となって立ち上がった立ち上がり部と、前記凸部の裏面に外方に向かって凹形状に形成された凹部と、前記底部であって、前記凹部の外側に形成された平坦部と、この平坦部に形成された複数の穴に挿入される複数のパイプと、前記凸部の頂部に対向する穴部を有し、前記本体の底部に対向する部位を閉塞する閉塞部材と、先端が前記凸部と離間して前記穴部に挿入される分岐元パイプとを備え、前記複数のパイプを前記複数の穴に、前記分岐元パイプを前記穴部に、それぞれ固着するものである。
【００１０】
また、請求項５記載の冷凍サイクル用ディストリビュータの製造方法は、底部が内方に向かって凸形状に形成された凸部を有する本体と、この本体の底部の周縁が前記底部と一体となって立ち上がった立ち上がり部と、前記凸部の裏面に外方に向かって凹形状に形成された凹部と、前記底部であって、前記凹部の外側に形成された平坦部と、この平坦部に形成された複数の穴に固着された複数のパイプと、前記立ち上がり部の先端に向かう中途に形成された縮径部を介して前記立ち上がり部の先端が互いに離間して形成されると共に、前記凸部の頂部に対向する穴部と、先端が前記凸部と離間して前記穴部に挿入される分岐元パイプとを備え、前記複数のパイプを前記複数の穴に、前記分岐元パイプを前記穴部に、それぞれ固着するものである。
【発明の効果】
【００１１】
請求項１記載の冷凍サイクル用ディストリビュータによれば、本体の底部が内方に向かって凸形状に形成された凸部の裏面に外方に向かって凹形状に凹部が形成されているため、ディストリビュータの重量が軽減されると共に、その分、コストの低減化をも図ることができる。
【００１２】
また、請求項２記載の冷凍サイクル用ディストリビュータによれば、本体の底部が内方に向かって凸形状に形成された凸部の裏面に外方に向かって凹形状に凹部が形成されているため、ディストリビュータの重量が軽減されると共に、その分、コストの低減化をも図ることができ、しかも、請求項１記載の冷凍サイクル用ディストリビュータに必要な閉塞部材を省略することができる。
【００１３】
また、請求項３記載の冷凍サイクル用ディストリビュータによれば、前述した請求項１又は２記載の発明の効果に加え、本体内に位置する複数のパイプの先端が、それぞれ平坦部より突出し、分岐元パイプから吐出された冷媒の内、凸部に沿って流れる冷媒が直接、複数のパイプに流れるのを防ぐため、本体内に一旦貯留された冷媒を複数のパイプに均一に分配することができる。
【００１４】
また、請求項４記載の冷凍サイクル用ディストリビュータの製造方法によれば、本体の底部が内方に向かって凸形状に形成された凸部の裏面に外方に向かって凹形状に凹部が形成されているため、ディストリビュータの重量が軽減されると共に、その分、コストの低減化をも図ることができる。
【００１５】
また、請求項５記載の冷凍サイクル用ディストリビュータの製造方法によれば、本体の底部が内方に向かって凸形状に形成された凸部の裏面に外方に向かって凹形状に凹部が形成されているため、ディストリビュータの重量が軽減されると共に、その分、コストの低減化をも図ることができ、しかも、請求項４記載の冷凍サイクル用ディストリビュータの製造方法に必要な閉塞部材を省略して、冷凍サイクル用ディストリビュータを製造することができる。
【図面の簡単な説明】
【００１６】
【図１】図１は、本発明の一実施例の冷凍サイクル用ディストリビュータの概略的断面図である。
【図２】図２は、図１の冷凍サイクル用ディストリビュータの概略的底面図である。
【図３】図３は、図１の冷凍サイクル用ディストリビュータを分解して示す概略的分解斜視図である。
【図４】図４は、図１の冷凍サイクル用ディストリビュータと異なる他の実施例の概略的断面図である。
【図５】図５は、図４の冷凍サイクル用ディストリビュータの概略的底面図である。
【図６】図６は、図４の冷凍サイクル用ディストリビュータを分解して示す概略的分解斜視図である。
【図７】図７は、図４の冷凍サイクル用ディストリビュータと異なる他の実施例の概略的断面図である。
【図８】図８は、図７の冷凍サイクル用ディストリビュータの概略的底面図である。
【図９】図９は、図７の冷凍サイクル用ディストリビュータを分解して示す概略的分解斜視図である。
【図１０】図１０は、図７の本体を形成する工程を示す概略的断面図である。
【図１１】図１１は、図１０に示す工程の後、立ち上がり部の先端側を縮径する工程を示す概略的断面図である。
【図１２】図１２は、図１１に示す工程の後、立ち上がり部の先端側を更に縮径する工程を示す概略的断面図である。
【図１３】図１３は、図７の冷凍サイクル用ディストリビュータと異なる他の実施例の概略的断面図である。
【図１４】図１４は、図１３の冷凍サイクル用ディストリビュータの概略的底面図である。
【図１５】図１５は、図１３の冷凍サイクル用ディストリビュータを分解して示す概略的分解斜視図である。
【発明を実施するための形態】
【００１７】
本発明の一実施例の「冷凍サイクル用ディストリビュータ及び冷凍サイクル用ディストリビュータの製造方法」を図面を参照して説明する。
以下、本発明の一実施の形態を図面に基づいて説明する。
冷凍サイクル用ディストリビュータＤは、例えば、図示しない冷凍サイクルの圧縮機と凝縮器との間に設置され、冷媒を凝縮器に分配して、凝縮器全体を有効に機能させるものである。
図１乃至図３に示す冷凍サイクル用ディストリビュータＤは、概略的に、本体１、複数のパイプ２（本実施例では、１６個）、閉塞部材３、分岐元パイプ４とから構成されている。
【００１８】
本体１は、例えば、無酸素銅棒を鍛圧（鍛造、絞り、シゴキ）スエ−ジング加工して形成されるもので、本体１は底部が内方に向かって凸形状に形成された凸部１Ａ、本体１の底部の周縁が前記底部と一体となって立ち上がった立ち上がり部１Ｂと、凸部１Ａの裏面に外方に向かって凹形状に形成された凹部１Ｃと、前記底部であって、凹部１Ｃの外側に形成された平坦部１Ｄとを有している。なお、この平坦部１Ｄに形成された複数の穴１Ｅに複数のパイプ２が、固着（例えば、銅ロー付けにより固着）されている。
【００１９】
閉塞部材３は、中心に位置する穴部３Ａを有し、本体１の底部に対向する部位を閉塞する。閉塞部材３と本体１とは、固着（例えば、銅ロー付けにより固着）されている。そして、凸部１Ａの頂部１Ａ１と穴部３Ａは、対向し、分岐元パイプ４の先端が凸部１Ａと離間して穴部３Ａに分岐元パイプ４が固着（例えば、銅ロー付けにより固着）されている。分岐元パイプ４の先端に近い部位に通路が狭まる縮径部（又はテーパー部）４Ａが形成されている。
なお、冷凍サイクル用ディストリビュータＤは、図３に示すように、複数のパイプ２を複数の穴１Ｅに、分岐元パイプ４を穴部３Ａに、それぞれ挿入し、挿入後、固着して製造することができる。
【００２０】
従って、上述した図１乃至図３記載の冷凍サイクル用ディストリビュータＤによれば、本体１の底部が内方に向かって凸形状に形成された凸部１Ａの裏面に外方に向かって凹形状に凹部１Ｃが形成されているため、ディストリビュータＤの重量が軽減されると共に、その分、コストの低減化をも図ることができる。
なお、冷凍サイクル用ディストリビュータＤの分岐元パイプ４に、圧縮機（図示せず）から冷媒が流入し、該冷媒は縮径部（又はテーパー部）４Ａを通って凸部１Ａに衝突して、本体１内に一旦貯留され、その後、複数のパイプ２に均一に分配され、凝縮器（図示せず）に導かれる。
特に、本体１内に位置する複数のパイプ２の先端は、それぞれ平坦部１Ｄより突出し、分岐元パイプ４から吐出された冷媒の内、凸部１Ａに沿って流れる冷媒が直接、複数のパイプ２に流れるのを防いで、本体１内に一旦貯留された冷媒を複数のパイプ２に均一に分配することができる。
【００２１】
上述した図１乃至図３記載の実施例においては、分岐元パイプ４の先端に近い部位に通路が狭まる縮径部（又はテーパー部）４Ａを設けるようにしたが、本発明はこれに限らず、分岐元パイプ４に縮径部（又はテーパー部）４Ａを設けず、ストレートに形成したものにも同様に適用することができる。
なお、本実施例（図４乃至図６）においては、分岐元パイプ４に縮径部（又はテーパー部）４Ａを設けず、ストレートに形成すると共に、図１記載の縮径部（又はテーパー部）４Ａの抵抗と略同じするため、図４に示すように、分岐元パイプ４の先端を凸部１Ａに近接させた以外は、上述した実施例（図１乃至図３）と同じであるため、上述した実施例（図１乃至図３）と同一部分に同一符号を付してその説明を省略する。
【００２２】
また、上述した図１乃至図６記載の実施例においては、閉塞部材２を設けるようにしたが、本発明はこれに限らず、閉塞部材２を設けず、本体１の立ち上がり部１Ｂの先端に向かう中途に形成された縮径部を介して立ち上がり部１Ｂの先端が互いに離間して形成された穴部を形成するようにしても良い。
即ち、本実施例（図７乃至図９）においては、閉塞部材２を設けず、本体１の立ち上がり部１Ｂの先端に向かう中途に形成された縮径部１Ｂ’を介して立ち上がり部１Ｂの先端が互いに離間して形成された穴部１Ｆを形成させた以外は、上述した実施例（図１乃至図３）と同じであるため、上述した実施例（図１乃至図３）と同一部分に同一符号を付してその説明を省略する。
なお、分岐元パイプ４は穴部１Ｆの周縁部に固着（例えば、銅ロー付けにより固着）されている。
また、本体１の立ち上がり部１Ｂの先端に向かう中途に形成された縮径部１Ｂ’を介して立ち上がり部１Ｂの先端が互いに離間して形成された穴部１Ｆは、例えば、次に示すようにして製造される。
即ち、本体１の凸部１Ａ、立ち上がり部１Ｂ、凹部１Ｃ及び平坦部１Ｄを鍛造で形成し[図１０参照］、該形成後、立ち上がり部１Ｂの先端が互いに当接しないように、凸部１Ａに対向した開放部位より図示しないポンチを挿入し、立ち上がり部１Ｂの外側にテーパー状部材を位置させ、該テーパー状部材と前記ポンチにより立ち上がり部１Ｂの先端に向かう中途に縮径部１Ｂ’を徐々に形成して、立ち上がり部１Ｂの先端に向かう中途に形成された縮径部１Ｂ’を介して立ち上がり部１Ｂの先端が互いに離間する穴部１Ｆを形成する[図１１及び図１２参照］。
なお、冷凍サイクル用ディストリビュータＤは、図９に示すように、複数のパイプ２を複数の穴１Ｅに、分岐元パイプ４を穴部１Ｆに、それぞれ挿入し、挿入後、固着して製造することができる。
【００２３】
従って、図７乃至図９記載の冷凍サイクル用ディストリビュータＤによれば、本体１の底部が内方に向かって凸形状に形成された凸部１Ａの裏面に外方に向かって凹形状に凹部１Ｃが形成されているため、ディストリビュータＤの重量が軽減されると共に、その分、コストをも軽減させることができ、しかも、図１乃至図６記載の冷凍サイクル用ディストリビュータＤに必要な閉塞部材２を省略して、冷凍サイクル用ディストリビュータＤを得ることができる。
【００２４】
また、上述した実施例（図７乃至図９）においては、分岐元パイプ４の先端に近い部位に通路が狭まる縮径部（又はテーパー部）４Ａを設けるようにしたが、本発明はこれに限らず、分岐元パイプ４に縮径部（又はテーパー部）４Ａを設けず、ストレートに形成したものにも同様に適用することができる。
なお、本実施例（図１３乃至図１５）においては、分岐元パイプ４に縮径部（又はテーパー部）４Ａを設けず、ストレートに形成すると共に、縮径部（又はテーパー部）４Ａの抵抗と略同じするため、図１３に示すように、分岐元パイプ４の先端を凸部１Ａに近接させた以外は、上述した実施例（図７乃至図９）と同じであるため、上述した実施例（図１３乃至図１５）と同一部分に同一符号を付してその説明を省略する。
【符号の説明】
【００２５】
Ｄ      冷凍サイクル用ディストリビュータ
１      本体
１Ａ    凸部
１Ａ１  頂部
１Ｂ    立ち上がり部
１Ｃ    凹部
１Ｄ    平坦部
２      パイプ
３      閉塞部材
３Ａ    穴部
４      分岐元パイプ
【図１】
2012013323.tif 000003
【図２】
2012013323.tif 000004
【図３】
2012013323.tif 000005
【図４】
2012013323.tif 000006
【図５】
2012013323.tif 000007
【図６】
2012013323.tif 000008
【図７】
2012013323.tif 000009
【図８】
2012013323.tif 000010
【図９】
2012013323.tif 000011
【図１０】
2012013323.tif 000012
【図１１】
2012013323.tif 000013
【図１２】
2012013323.tif 000014
【図１３】
2012013323.tif 000015
【図１４】
2012013323.tif 000016
【図１５】
2012013323.tif 000017